(57)【要約】  【課題】  パーツの組合わせにより多チャンネル仕様のソケットとする。  【解決手段】  接続凹部Ｓ１が６口並設され、接続凹部Ｓ１が並設された一端には取付部Ｓ５が設けられ、側面Ｓ２２には連結溝部Ｓ６が設けられる第１ソケットハウジングＳ２と、前記同様の接続凹部Ｓ１が２口並設され、接続凹部Ｓ１が並設された一端には連結突部Ｓ７が設けれ、他端には取付部Ｓ５が設けられる第２ソケットハウジングＳ４とからなり、  各ハウジングＳ２，Ｓ４の各接続凹部Ｓ１には、背面Ｓ４４から接続凹部Ｓ１内に一対の接続ピンＳ３が突設され、第１ソケットハウジングＳ２の連結溝部Ｓ６と第２ソケットハウジングＳ４の連結突部Ｓ７とを嵌合することで接続凹部Ｓ１が８連続する８口ソケットを形成する。【選択図】  図１
2005268143.tif 000002
【特許請求の範囲】
【請求項１】
プラグが挿入係止されることで、一端にリード線を接続されたプラグ側コンタクトがソケット側に設けたソケット側コンタクトと接続しソケット側とプラグ側とを電気的に導通状態とさせる信号線用ソケットであって、
一方が開口された空間部である接続凹部が複数口並設され、接続凹部が並設された一端には取付部が設けられ、他端には連結するための連結溝部が設けられる第１ソケットハウジングと、
一方が開口された空間部である接続凹部が第１ソケットハウジングとは異なる複数口並設され、接続凹部が並設された一端には第１ソケットハウジングと連結固定させる連結突部が設けれ、他端には取付部が設けられる第２ソケットハウジングと、
からなり、
各ハウジングの各接続凹部には、接続凹部の開口側と対向する底面から接続凹部内にソケット側コンタクトが突設され、第１ソケットハウジングの連結溝部と第２ソケットハウジングの連結突部とを嵌合することで接続凹部が複数口連続するソケットを形成することを特徴とする信号線用ソケット。
【請求項２】
前記第１ソケットハウジングが接続凹部を６口並設され、前記第２ソケットハウジングが接続凹部を２口或は３口並設されてなる請求項１記載の信号線用ソケット。
【請求項３】
プラグが挿入係止されることで、一端にリード線を接続されたプラグ側コンタクトがソケット側に設けたソケット側コンタクトと接続しソケット側とプラグ側とを電気的に導通状態とさせる信号線用ソケットであって、
ソケットの形成するソケットハウジングには、ソケットハウジング表面が開口された空間部である接続凹部が複数並設され、接続凹部並設方向両端には取付部が設けられ、接続凹部のうち選択される特定の接続凹部の開口側縁部を他の接続凹部及び取付部より突出させて形成することを特徴とする信号線用ソケット。
【発明の詳細な説明】
【技術分野】
【０００１】
この発明は、信号線とアース線等のリード線が接続されたプラグと嵌合して電気的に導通状態とする信号線用ソケットに関する。
【背景技術】
【０００２】
オーディオ機器等に用いるスピーカケーブルのリード線は、一般に信号線とアース線の１対からなる１チャンネルで１つのスピーカに音声出力信号を送信する。
通常のステレオタイプであれば、用いるスピーカが２つであり２チャンネルとなる。又、ウーハーを追加する或はセンタースピーカを追加した場合には３チャンネルとなる。更に、視聴者より前方に左右のスピーカ、視聴者より後方に左右のスピーカを設置し、音響に前後の臨場感を表す場合があり、この場合には、４チャンネルとなる。
更にまた、所謂５．１チャンネルといわれる、視聴者前後の左右スピーカの４チャンネルと視聴者前方にセンター用のセンタチャンネルと低音の補強用のウーハーチャンネルとからなる６チャンネルによって臨場感ある音響空間を実現している。同様に、所謂７．１チャンネルといわれる８チャンネルを用いた音響環境や９チャンネルを用いた音響空間などがある。
このように、スピーカへの出力チャンネルが増加するに従い、従来のようなネジによるリード線１本ずつの接続ではスピーカの配線作業が多くなる。
【０００３】
そこで、信号線とアース線からなる１対のリード線を１組とした上記各チャンネル数のソケットを製造し、すべてのチャンネルに対応していた。そして、市場における各チャンネルの使用頻度は、多く用いられている順に６チャンネルタイプのものが約６０％、４チャンネルタイプのものが約２０％、８チャンネルタイプのものが約１０％、９チャンネルタイプのものが約１０％であり、オーディオ機器を製造する際には、夫々のソケットを製造し、夫々対応するオーディオ機器に取付けていた。
【０００４】
そこで従来は、例えば、『プラグ』（特許第３４３５１３２号、以下従来例という。）に表すようなソケットとプラグとを利用してリード線を接続していた。
即ち、図１２（ａ）に表すように、一対のリード線（３）は第１リード線（５）と第２リード線（７）からなり、オーディオ機器のアンプとスピーカとの間に配線される。一対のリード線（３）を、アンプまたはスピーカに設けられるソケット（１２７）の接続凹部（１３９）に挿抜自在の外形を有するプラグハウジング（１５）と、このプラグハウジング（１５）内に設けられ、第１リード線（５）と第２リード線（７）に対応して接続凹部（１３９）内に突設された一対のピン端子（１３１）と接触する一対のプラグ側接触端子と、非対称形状の接続凹部（１３９）に対して特定姿勢でのみ挿抜するように、プラグハウジング（１５）の外形を非対称とする逆挿入防止手段と、一対のプラグ側接触端子を、それぞれ第１リード線（５）または第２リード線（７）に接続する接続手段と、を備えたプラグを設け、該プラグを挿抜自在なソケット（１２７）に挿入することで一対のリード線とソケット側のオーディオ機器等とを接続する。そして、ソケット１２７は、プラグハウジング１５が挿入される接続凹部１３９を設け、更に接続凹部の中にはピン端子１３１を接続凹部１３９の開口面側に突設してあり、該ピン端子１３１がプラグ側接触端子と嵌合して電気的な接続を完了していた。そして、ソケット１２７の表面は、図１２（ｂ）に表すように、全ての接続凹部１３９が同一面に形成されていた。
【０００５】
【特許文献１】特許第３４３５１３２号公報
【発明の開示】
【発明が解決しようとする課題】
【０００６】
しかしながら、上記のような従来から実施されているソケットでは、前記市場でのニーズに応えるために、機器製造側では、４チャンネル、６チャンネル、８チャンネル、９チャンネル夫々のソケットを製造しなければならないという問題点を有した。そして、ソケットは型をおこして製造するので、製造個数が増える程安価に製造可能となるにも拘らず、特に６チャンネルの市場における市場におけるニーズに比し、ニーズの少ない８チャンネル及び９チャンネルのソケットを別途製造しなければならず、コスト高となってしまう問題点を有した。
又、ソケットに設けた接続凹部表面が全て同一面に形成されていたため、特定の接続凹部のみを利用する場合には、オーディオ機器等のパネル（図示せず）に穿設したソケット取付け用の穿設孔内には挿入できず、パネル（図示せず）の背面側に位置しているため、ソケットにプラグを抜き差しする際には、ソケットに対し上下或は左右全方向にかかる力がソケットの取付部によって支持されなければならず強度が不足してしまうという問題点を有した。
【課題を解決するための手段】
【０００７】
そこでこの発明は、上記問題点を解決するために、
プラグが挿入係止されることで、一端にリード線を接続されたプラグ側コンタクトがソケット側に設けたソケット側コンタクトと接続しソケット側とプラグ側とを電気的に導通状態とさせる信号線用ソケットであって、一方が開口された空間部である接続凹部が複数口並設され、接続凹部が並設された一端には取付部が設けられ、他端には連結するための連結溝部が設けられる第１ソケットハウジングと、一方が開口された空間部である接続凹部が第１ソケットハウジングとは異なる複数口並設され、接続凹部が並設された一端には第１ソケットハウジングと連結固定させる連結突部が設けれ、他端には取付部が設けられる第２ソケットハウジングと、からなり、各ハウジングの各接続凹部には、接続凹部の開口側と対向する底面から接続凹部内にソケット側コンタクトが突設され、第１ソケットハウジングの連結溝部と第２ソケットハウジングの連結突部とを嵌合することで接続凹部が複数口連続するソケットを形成することを特徴とする信号線用ソケット、
を提供する。従って、複数口の第１ソケットハウジングと第２ソケットハウジングとを連結することで、第１ソケットハウジングに増して更に複数口のソケットハウジングを形成する。第１ソケットハウジングと第２ソケットハウジングは、夫々の口数を所望する数となるように適宜選択すれば良く、これにより所望の口数を有するソケットを構成できる。
【０００８】
又、
前記第１ソケットハウジングが接続凹部を６口並設され、前記第２ソケットハウジングが接続凹部を２口或は３口並設されてなる信号線用ソケット、
では、第１ソケットハウジングが６口であり、これに加え、第２ソケットハウジングが２口とすると第１ソケットハウジングと第２ソケットハウジングとを連結することで８口のソケットを構成する。又、第２ソケットハウジングが３口とすると、第１ソケットハウジングと第２ソケットハウジングとを連結することで、９口のソケットを構成する。
【０００９】
更にこの発明では、
プラグが挿入係止されることで、一端にリード線を接続されたプラグ側コンタクトがソケット側に設けたソケット側コンタクトと接続しソケット側とプラグ側とを電気的に導通状態とさせる信号線用ソケットであって、
ソケットの形成するソケットハウジングには、ソケットハウジング表面が開口された空間部である接続凹部が複数並設され、接続凹部並設方向両端には取付部が設けられ、接続凹部のうち選択される特定の接続凹部の開口側縁部を他の接続凹部及び取付部より突出させて形成することを特徴とする信号線用ソケット、
を提供する。該ソケットでは、例えば接続凹部が６口設けられた場合に、両端の接続凹部開口の開口側縁部を取付部と同一面となるよう形成し、中間の接続凹部開口側縁部を両端の接続凹部開口側縁部及び取付部表面より突出させて形成する。このように形成した通信線用ソケットは、該ソケットを取付けるオーディオ機器等のパネルにあけられたパネル開口に全接続凹部が位置するように取付部をネジ止め等によって取付け全接続凹部を利用可能とするか、縁部を突出して形成した接続凹部のみが挿入可能な開口を形成してあるオーディオ機器等のパネルに該突出した接続凹部のみが挿入されて取付部によってパネルに固定されることで、所定数の接続凹部のみが利用可能なソケットとして利用することとなる。
【発明の効果】
【００１０】
従って、この発明によれば、比較的少ない頻度で使用される８口及び９口のソケットを小さな２口用或は３口用のパーツと組合わせて製造可能となる。
又、所定の接続凹部のみを突出して設けたソケットでは、全接続凹部数のソケットとして利用可能であると共に突出して設けた接続凹部数のソケットとして利用可能となる。更に、該ソケットでは、突出して設けた接続凹部の突出した周囲部がオーディオ機器等のパネル開口周囲部に位置するので、該ソケットにプラグを挿抜する際に、該ソケットに上下或は左右方向に力が加わり応力が発生しても、パネル周囲部によって応力を押え所定量以上の変形を抑制可能である。
【実施例１】
【００１１】
以下に、図面に基づきこの発明の実施の形態を説明する。図１はこの発明の実施の形態を表す斜視説明図であり、図２はこの発明の実施の形態の使用状態を表す断面説明図であり、図３はこの発明の実施の形態にかかる第１ソケットハウジングの斜視説明図であり、図４は第１ソケットハウジングであるソケットを表し（ａ）は正面図、（ｂ）は平面図、（ｃ）は右側面図、（ｄ）は左側面図、（ｅ）は平面図、（ｆ）は底面図、（ｇ）及び（ｈ）は一部拡大説明図であり、図５は第２ソケットハウジングを表す斜視説明図であり、図６は第２ソケットハウジングであるソケットを表し（ａ）は正面図、（ｂ）は平面図、（ｃ）は右側面図、（ｄ）は左側面図、（ｅ）は平面図、（ｆ）は底面図、（ｇ）及び（ｈ）は一部拡大説明図であり、図７は他の第２ソケットハウジングであるソケットを表す斜視説明図であり、図８は第３ソケットを表す斜視説明図であり、図９はプラグを表す斜視説明図であり、図１０（ａ）（ｂ）はプラグのハウジングを表す斜視説明図であり、図１１はプラグとソケットとの嵌合状態の断面説明図である。
【００１２】
Ｓは、この発明にかかる信号線用ソケットである。信号線用ソケットＳは、接続凹部Ｓ１が複数穿設された第１ソケットハウジングＳ２及び第２ソケットハウジングＳ４が接続されて構成され、接続凹部Ｓ１内にはソケット側コンタクトＳ３が立設されてなる。
ソケットハウジングＳ２は、接続凹部Ｓ１が複数並設して穿設される。即ち、図１及び図３に表すように、略直方体形状をなし、表面から接続凹部Ｓ１が複数穿設される。第１ソケットハウジングＳ２に穿設された接続凹部Ｓ１は６口並設して開口される。接続凹部Ｓ１の形状は、左右が明確となるよう、表面視が略４角形であるが、一辺の両端を面取りをしたように欠いた状態の６角形として穿設され、プラグＰ１を差込む方向を特定可能な形状からなる。そして、接続凹部Ｓ１の開口と対向する底面Ｓ１１には、図１及び図２に表すように、ソケット側コンタクトＳ３が立設固定される。ソケット側コンタクトＳ３は、一端が底面Ｓ１１の側壁を貫通して外方に突出し、オーディオ機器等の装置内回路を構成しているリード線と接続され、ソケット側コンタクトＳ３の他端側と導通状態となる。そして、ソケット側コンタクトＳ３は、図２に表すように、接続凹部Ｓ１にプラグＰ１を嵌入した状態でプラグＰ１に設けるプラグ側コンタクトＰ３と係止し、プラグ側コンタクトＰ３と導通状態となる。この実施の形態では、ソケット側コンタクトＳ３はコンセント状の平板形状を成す一対からなるが、棒状等他の形状でもよい。
【００１３】
接続凹部Ｓ１には、係止部Ｓ２１を設ける。係止部Ｓ２１は、プラグＰ１が嵌入された際に、プラグＰ１に設ける抜け止め防止片Ｐ２１ｇと係止しプラグＰ１の抜け止めをするために設け、並設される各接続凹部Ｓ１相互が隣り合わない一方の側壁の開口側に突設する。このように係止部Ｓ２１を設けることで、プラグＰ１の挿抜時にもプラグＰ１に設ける抜け止め防止片Ｐ２２ｇの操作を隣り合う接続凹部Ｓ１に関わりなくできるので、操作するための間隔を隣り合う接続凹部Ｓ１相互間に設けなくともよく、ソケットＳを小型化することが可能となる。
【００１４】
Ｓ５は、取付部である。取付部Ｓ５は、図１、図２、図４に表すように、第１ソケットハウジングＳ２の接続凹部Ｓ１が並設されて連続する側の側壁に、接続凹部Ｓ１の開口側に設ける。取付部Ｓ５は、図示しないがオーディオ機器等ソケットＳを取付けるために第１ソケットハウジングＳ２の側壁からフランジ状に突設して設け、第１ソケットハウジングＳ２における接続凹部Ｓ１開口側表面から取付ける対象であるオーディオ機器等のパネル（図示せず）厚さ分だけ対向側へずらして設ける。更に取付部Ｓにはネジ止め用の孔Ｓ５１を穿設する。従って、オーディオ機器等に取付ける際には、第１ソケットハウジングＳ２の開口側表面と、オーディオ機器等のパネル（図示せず）表面とが一体面となるように取付け可能である。
【００１５】
Ｓ６は、連結溝である。連結溝Ｓ６は、図４に表すように、下面Ｓ２６の取付部Ｓ５とは対向する側面Ｓ２２側及び上面Ｓ２３の側面Ｓ２２側に設ける。連結溝Ｓ６の上部溝Ｓ６１は、図４（ｂ）（ｅ）（ｇ）に表すように、上面Ｓ２３の側面Ｓ２２側に凹形状をなす溝として形成される。凹形状を成す上部溝Ｓ６１は、上面Ｓ２３の背面Ｓ２４側から前面Ｓ２５側にかけて設け、背面Ｓ２４側は背面Ｓ２４から抜けるまで設け、前面Ｓ２５側は前面Ｓ２５に到達しないよう設ける。連結溝Ｓ６の下部溝Ｓ６２は、図４（ｂ）（ｄ）（ｆ）（ｈ）に表すように、下面Ｓ２６の側面Ｓ２２側に楔形状をなす溝として形成される。楔形状を成す下部溝Ｓ６２は、下面Ｓ２６の背面Ｓ２４側から前面Ｓ２５側にかけて設け、背面Ｓ２４側は背面Ｓ２４から抜けるまで設け、前面Ｓ２５側は前面Ｓ２５に到達しないよう設ける。
【００１６】
第２ソケットハウジングＳ４は、図１に表すように、第１ソケットハウジングＳ２と嵌合させてソケットＳを形成し、図５及び図６に表すように、第１ソケットハウジングＳ２同様略直方体形状をなし、表面から接続凹部Ｓ１が複数穿設される。図５及び図６に表す第２ソケットハウジングＳ４は接続凹部Ｓ１を３口並設した物であり、第１ソケットハウジングＳ２と嵌合させて使用することで、９口のソケットＳを構成する。尚、図７に表す第２ソケットハウジングＳ４は接続凹部Ｓ１を２口設けて構成したものであり、図５に表す第２ソケットハウジングＳ４同様に使用することで、第１ソケットハウジングＳ２と共に８口のソケットＳを構成することができ、第２ソケットハウジングＳ４に設ける接続凹部Ｓ１の数以外は図５に表す第２ソケットハウジングＳ４同様である。
接続凹部Ｓ１の形状は、第１ソケットハウジングＳ２に設けた接続凹部Ｓ１同様であり、プラグＰ１を差込む方向を特定可能な形状からなる。そして、接続凹部Ｓ１の開口と対向する底面Ｓ１１には、第１ソケットハウジングＳ２同様にソケット側コンタクトＳ３が立設固定される。第２ソケットハウジングＳ４に設けるソケット側コンタクトＳ３は、第１ソケットハウジングＳ２同様である。
第２ソケットハウジングＳ４の接続凹部Ｓ１にも、第１ソケットハウジングＳ２同様な係止部Ｓ４１を設ける。
第２ソケットハウジングＳ４に設ける取付部Ｓ５は、図５乃至図７に表すように、第１ソケットハウジングＳ２の接続凹部Ｓ１が並設されて連続する側の側壁とは反対の側壁、即ち図５中右側の側壁に設ける。従って、第２ソケットハウジングＳ４に設ける取付部Ｓ５は、第１ソケットハウジングＳ２と対称な形状となる。その他第２ソケットハウジングＳ４に設ける取付部Ｓ５は第１ソケットハウジングＳ２に設ける取付部Ｓ５と同様である。
【００１７】
Ｓ７は、連結突部である。連結突部Ｓ７は、図５乃至図７に表すように、下面Ｓ４６の取付部Ｓ５とは対向する側面Ｓ４２側及び上面Ｓ４３の側面Ｓ４２側に設ける。連結突部Ｓ７の上部突部Ｓ７１は、図６（ａ）（ｂ）（ｃ）（ｇ）に表すように、上面Ｓ４３の側面Ｓ４２側に、突部が下方を向く凸形状をなして外方へ突出して設け、第１ソケットハウジングＳ２に設けた連結溝Ｓ６の上部溝Ｓ６１と嵌合可能な形状に形成される。同様に、連結突部Ｓ７の下部突部Ｓ７２は、図６（ａ）（ｂ）（ｃ）（ｈ）に表すように、下面Ｓ４６の側面Ｓ４２側に、突部が上方を向く楔形状をなして外方へ突出して設け、第１ソケットハウジングＳ２に設けた連結溝Ｓ６の下部溝Ｓ６２と嵌合可能な形状に形成される。従って連結突部Ｓ７は、上部突部Ｓ７１及び下部突部Ｓ７２の凸部が相互に対向するよう突出させて設ける。
【００１８】
Ｓ８は、４口及び６口汎用の第３ソケットである。第３ソケットＳ８は、図８に表すように、図８中左右に連続して６口の接続凹部Ｓ１を設けてなり、接続凹部Ｓ１の連続する側の両端に取付部Ｓ５を設ける。
即ち、第３ソケットＳ８は、第３ソケットハウジングＳ８１に６口の接続凹部Ｓ１を設け、両端に取付部Ｓ５を設け連結溝Ｓ６を設けない以外は第１ソケットハウジングＳ２と同様の第３ソケットハウジングＳ８１に、第１ソケットハウジングＳ２と同様の接続凹部Ｓ１を穿設し、接続凹部Ｓ１内には第１ソケットハウジングＳ２同様ソケット側コンタクトＳ３を突設して構成する。又、第３ソケットハウジングＳ８１では、並設される接続凹部Ｓ１のうち両端となる接続凹部Ｓ１ａ及びＳ１ｆの開口側面、即ち、前面Ｓ８２を取付部Ｓ５と同一面を形成するように他の接続凹部Ｓ１ｂ乃至Ｓ１ｅより稍背面側になるよう段差を設け、接続凹部Ｓ１ｂ乃至Ｓ１ｅの周囲部Ｓ８３が突出するように形成する。その際、接続凹部Ｓ１ａと接続凹部Ｓ１ｂとの段差である周囲部Ｓ８３は、ソケットＳを取付けるオーディオ機器等の表面パネル（図示せず）厚となるようにすると、プラグＰ１を挿抜する際にソケットＳが上下或は左右に移動されようとしても、取付けた際に段差による接続凹部Ｓ１ｂ乃至接続凹部Ｓ１ｅの周囲部Ｓ８３がパネル（図示せず）開口部の側面と当接して移動できないようにするので、ソケットＳ取付の強度を増すことができる。
【００１９】
第３ソケット８は、このように両端の接続凹部Ｓ１ａ及び接続凹部Ｓ１ｆを他の接続凹部Ｓ１ｂ乃至Ｓ１ｅと段差を設けた周囲部Ｓ８３を設けることで、４口のソケットＳとしても利用できる汎用性を有する。即ち、４口用として用いる際には、ソケットＳを取付けるオーディオ機器等の表面パネル（図示せず）を予め接続凹部Ｓ１ｂ乃至Ｓ１ｅが嵌入可能な大きさに穿設しておき、オーディオ機器等に取付ける際に、予めオーディオ機器等の表面パネル（図示せず）の該穿設孔に接続凹部Ｓ１ｂ乃至Ｓ１ｅの周囲部Ｓ８３を嵌入させて両端の取付部Ｓ５を固定することで、パネル（図示せず）表面には接続凹部Ｓ１ｂ乃至Ｓ１ｅが露呈することとなり４口として利用可能となる。
又、６口用として利用する場合には、パネル（図示せず）に接続凹部Ｓ１ａ乃至Ｓ１ｆが嵌合可能な大きさの穿設孔を設け、接続凹部Ｓ１ａ乃至Ｓ１ｆが穿設孔に位置するよう接続凹部Ｓ１ｂ乃至Ｓ１ｅの周囲部Ｓ８３を穿設孔に嵌入して両端の取付部Ｓ５をパネル（図示せず）と固定することで、接続凹部Ｓ１ａ乃至Ｓ１ｆの６口すべてが表面に露呈して６口用として利用可能である。そしてこの時、プラグＰ１を挿抜する際にソケットＳが上下に移動されようとしても、取付けた際に段差による接続凹部Ｓ１ｂ乃至接続凹部Ｓ１ｅ周囲部Ｓ８３の上下部がパネル（図示せず）開口部の上下の側面と当接して移動できないようにするので、ソケットＳ取付の強度を増すことができる。このような上下方向への移動は、取付部Ｓ５相互方向と交差する側へ力が働くので、取付部Ｓ５を中心とする応力が働くこととなり、取付部Ｓ５のみで規制する場合には破損等する可能性が高く、パネルの周囲部（図示せず）によって規制できるのは有効である。又、挿抜の際に起こるソケットＳの取付部Ｓ５方向である左右側への移動は、取付部Ｓ５方向に力が加わることとなり、取付部Ｓ５によって規制できる。
【００２０】
尚、この実施の形態では、第３ソケットＳ８は、中央の４つの接続凹部Ｓ１ｂ乃至Ｓ１ｅを突出して形成したが、例えば、センターチャンネルと、左右チャンネルとウーハーとからなる４チャンネルとして利用する場合に、中央の接続凹部Ｓ１ｃ及び接続凹部Ｓ１ｄを左右チャンネル用とし、両端の接続凹部Ｓ１ａ及び接続凹部Ｓ１ｆをセンタースピーカ及びウーハー用として夫々４つの接続凹部Ｓ１ａ、Ｓ１ｃ、Ｓ１ｄ、Ｓ１ｆを取付部Ｓ５及び他の接続凹部Ｓ１ｂ、Ｓ１ｅより突出するように設けて該突出した接続凹部Ｓ１ａ、Ｓ１ｃ、Ｓ１ｄ、Ｓ１ｆが挿入可能な穿設孔をパネルに予め空けて取付ける等、利用形態によって種々の方法が考えられ、３口用或は５口用等利用可能な接続凹部Ｓ１を他の数としても利用可能である。
【００２１】
次いで、ソケットＳと嵌合するプラグＰ１について説明する。
Ｐ１は、プラグである。プラグＰ１は、図２及び図９に表すように、ハウジングＰ２によって外形形状を形成し、内部にはプラグ側コンタクトＰ３を設ける。そして、プラグＰ１は、ソケットＳに設ける接続凹部Ｓ１に挿入固定することで、プラグＰ１側とソケットＳ側とを電気的に接続する。
ハウジングＰ２内には、図２に表すように、一対のリード線Ｌ１、Ｌ２が接続されるプラグ側コンタクトＰ３を設ける。プラグ側コンタクトＰ３は、導体から成り、先端部Ｐ３１がソケットＳに設けるソケット側コンタクトＳ３と接続される接続部を形成し、後端部Ｐ３２にはリード線Ｌ１、Ｌ２を接続固定する。先端部Ｐ３１は、図２に表すように、鰐口状に対向する２片から形成し、２片間にソケット側コンタクトＳ３が挿入されることで、電気的な導通状態が確保される。このように、プラグ側コンタクトＰ３はプラグＰ１がソケットＳに挿入固定された際に、ソケット側コンタクトＳ３と導通してリード線Ｌ１、Ｌ２をソケット側コンタクトＳ３と電気的に接続することとなる。
ここで、リード線Ｌ１及びリード線Ｌ２は、例えば、スピーカケーブルの信号線及びアース線である。
【００２２】
次いでハウジングＰ２の詳細を説明する。ハウジングＰ２は、ハウジング本体Ｐ２１と、ハウジング本体Ｐ２１と対向して固定されることでハウジングＰ２を形成するハウジングレバーＰ２２とからなる。
【００２３】
ハウジング本体Ｐ２１は、図９及び図１０（ａ）に表すように、略直方体形状を成し、ソケットＳに挿入する側の側面である接続凹部挿入側面Ｐ２１ａには、ソケット側コンタクトＳ３が挿入される１対の挿入口Ｐ２１ｂを開口する。また、接続凹部挿入側面Ｐ２１ａに対向する後端面Ｐ２１ｃには、リード線Ｌ１、Ｌ２を挿通させるリード線挿入口Ｐ２１ｄを開口してなる。更にまた、挿入口Ｐ２１ｂからリード線挿入口Ｐ２１ｄにかけての内部は、プラグ側コンタクトＰ３を固定可能な空間部Ｐ２１ｅを形成する。そして、ハウジング本体Ｐ２１には、図２に表すように、プラグ側コンタクトＰ３が内包固定され、プラグ側コンタクトＰ３に固定されたリード線Ｌ１、Ｌ２がリード線挿入口Ｐ２１ｄから挿通される。
【００２４】
更に、ハウジング本体Ｐ２１の側面Ｐ２１ｆには、抜け止め防止片Ｐ２１ｇが突設される。抜け止め防止片Ｐ２１ｇは、側面Ｐ２１ｆの接続凹部挿入側面Ｐ２１ａ側から後端面Ｐ２１ｃ側にかけて設け、側面Ｐ２１ｆ側に押圧されると負勢力に抗して基端部Ｐ２１ｈを中心に先端部である自由端Ｐ２１ｉ側が揺動可能であり、中間部にはソケットＳの接続凹部Ｓ１に設ける係止部Ｓ２１と係止する抜け止め係止部Ｐ２１ｊを設ける。抜け止め係止部Ｐ２１ｊは、基端部Ｐ２１ｈ側が緩やかな傾斜面を形成し自由端Ｐ２１ｉ側が略垂直に切り立つ係止面を形成し、抜け止め防止片Ｐ２１ｇの外側面に突設する。
また、自由端Ｐ２１ｉには、側方へ突出する係止突部Ｐ２１ｎを延設する。係止突部Ｐ２１ｎは、基端部から延設先端部にかけて傾斜面を形成してなる。
【００２５】
従って、ハウジング本体Ｐ２１に設ける抜け止め防止片Ｐ２１ｇは、ソケットＳに設ける接続凹部Ｓ１に挿入する際には、基端部Ｐ２１ｈを中心に負勢力に抗して側面Ｐ２１ｆ側に揺動されて抜け止め係止部Ｐ２１ｊの傾斜面が係止部Ｓ２１に沿って移動して行く。そして、やがて抜け止め係止部Ｐ２１ｊが係止部Ｓ２１を越し、抜け止め係止部Ｐ２１ｊの係止面が係止部Ｓ２１と係止することで抜け止め可能である。
【００２６】
更に、ハウジング本体Ｐ２１には、側面Ｐ２１ｆの接続凹部挿入側面Ｐ２１ａ側端部、及び、側面Ｐ２１ｆと対向する側面Ｐ２１ｋの接続凹部挿入側面Ｐ２１ａ側端部には、ハウジングレバーＰ２２を回動自在に係止する接続突起Ｐ２１ｍを突設する。
尚、図１０はハウジング２の分解説明図であり、（ａ）はハウジング本体Ｐ２１を表す説明図で前方上方視の斜視説明図及び後方下方視の斜視説明図からなり、（ｂ）はハウジングレバーＰ２２を表す説明図で前方上方視の斜視説明図及び後方下方視の斜視説明図からなる。
【００２７】
ハウジングレバーＰ２２は、ハウジング本体Ｐ２１と対向して固定することでハウジングＰ２を形成し、接続凹部挿入側面Ｐ２２ａにはハウジング本体Ｐ２１の挿入口Ｐ２１ｂと対向する位置に挿入口Ｐ２２ｂを開口する。但し、ハウジングレバーＰ２２に開口する挿入口Ｐ２２ｂは、ハウジング本体Ｐ２１の挿入口Ｐ２１ｂが大きな開口であったのに対し、ソケット側コンタクトＳ３より稍大きめの形状であり、ソケット側コンタクトＳ３と対向する位置に開口する。Ｐ２２ｃは、接続孔である。接続孔Ｐ２２ｃは、ハウジング本体Ｐ２１と対向して固定したときの接続突起Ｐ２１ｍと対向位置に穿設し、ハウジング本体Ｐ２１の接続突起Ｐ２１ｍに嵌入してハウジング本体Ｐ２１に対しハウジングレバーＰ２２が回動可能となる。このようにハウジングＰ２は、接続突起Ｐ２１ｍを中心にハウジング本体Ｐ２１及びハウジングレバーＰ２２を回動させる２パーツ構造とし、ハウジング本体Ｐ２１及びハウジングレバーＰ２２を一体とさせる構造をとることで、ハウジングレバーＰ２２内部略中央に設ける突起Ｐ２２ｄに従来例に表したレバー同様の機能を持たせ、ハウジングＰ２内部へのプラグ側コンタクトＰ３及びリード線Ｌ１、Ｌ２の組み込み等の作業を容易とさせることが可能となる。
【００２８】
更にハウジングレバーＰ２２の後端面Ｐ２１ｃ側側面には固定部Ｐ２２ｅを設ける。固定部Ｐ２２ｅは、ハウジングＰ２形成時、ハウジング本体Ｐ２１の側面Ｐ２１ｆ及び側面Ｐ２１ｋの外側に位置するように設け、ハウジングレバーＰ２２をハウジング本体Ｐ２１に対向して嵌め合わせる際には、側面Ｐ２１ｆ及び側面Ｐ２１ｋに設ける係止突起と係止可能な係止孔として形成しハウジング本体Ｐ２１とハウジングレバーＰ２２とを係止する凹凸部が嵌合し合うことにより係止する。尚、凹部及び突部はハウジング本体Ｐ２１、ハウジングレバーＰ２２のどちらに設けても良く、双方が嵌合して接続突起Ｐ２１ｍと接続孔Ｐ２２ｃとの係止、及び、各側面Ｐ２１ｆ、側面Ｐ２１ｋと固定部Ｐ２２ｅとの係止によって、ハウジング本体Ｐ２１及びハウジングレバーＰ２２が一体となってハウジングＰ２を形成すればよい。接続突起Ｐ２１ｍ及び接続孔Ｐ２２ｃも、突起及び孔が逆のパーツに設けられても良い。
【００２９】
更にまた、ハウジングレバーＰ２２には、抜け止め防止片押さえ部Ｐ２２ｆ（以下、抜け止め防止片押さえ部Ｐ２２ｆを押さえ片Ｐ２２ｆという。）を設ける。押さえ片Ｐ２２ｆは、ハウジング本体Ｐ２１及びハウジングレバーＰ２２を組み立てて形成するハウジングＰ２において、ハウジング本体Ｐ２１の抜け止め防止片Ｐ２１ｇに設ける抜け止め係止部Ｐ２１ｊと対向位置となるようＬ字状に設ける。即ち、この実施の形態では、ハウジング本体Ｐ２１及びハウジングレバーＰ２２を組み立てた際の抜け止め係止部Ｐ２１ｊに設けた係止突部Ｐ２１ｎと対向する位置に係止突部Ｐ２１ｎの傾斜面と当接可能な傾斜面を内側面に形成する当接部Ｐ２２ｇと、当接部Ｐ２２ｇの基端部を成しハウジングレバーＰ２２と一体に形成する延設部Ｐ２２ｈとからなり、更に傾斜部である当接部Ｐ２２ｇは先端側を薄く形成する。そして、通常時では、係止突部Ｐ２１ｎの傾斜面と当接部Ｐ２２ｇの傾斜面とが当接し、抜け止め防止片Ｐ２１ｇの位置を規制する。このように当接部Ｐ２２ｇの先端部を薄く形成し、且つ、ハウジング本体Ｐ２１に係止突部Ｐ２１ｎを抜け止め係止部Ｐ２１ｊとの間で段差を設け、ハウジング本体Ｐ２１の係止突部Ｐ２１ｎと当接させることで、ハウジング本体Ｐ２１の抜け止め防止片Ｐ２１ｇ外面と押さえ片Ｐ２２ｆ外面とが一体面を形成することが可能となるので、プラグＰ１をソケットＳから抜き取る際に抜け止め防止片Ｐ２１ｇを側面Ｐ２１ｆ側へ押圧する作業の作業性を良くすることが出来る。
【産業上の利用可能性】
【００３０】
この発明におけるソケットは、多チャンネル仕様のオーディオ機器等のスピーカ接続用ソケットとして利用可能である。
【図面の簡単な説明】
【００３１】
【図１】この発明の実施の形態を表す斜視説明図
【図２】この発明の実施の形態の使用状態を表す断面説明図
【図３】この発明の実施の形態にかかる第１ソケットハウジングの斜視説明図
【図４】第１ソケットハウジングであるソケットを表し（ａ）は正面図、（ｂ）は平面図、（ｃ）は右側面図、（ｄ）は左側面図、（ｅ）は平面図、（ｆ）は底面図、（ｇ）及び（ｈ）は一部拡大説明図
【図５】第２ソケットハウジングを表す斜視説明図
【図６】第２ソケットハウジングであるソケットを表し（ａ）は正面図、（ｂ）は平面図、（ｃ）は右側面図、（ｄ）は左側面図、（ｅ）は平面図、（ｆ）は底面図、（ｇ）及び（ｈ）は一部拡大説明図
【図７】他の第２ソケットハウジングであるソケットを表す斜視説明図
【図８】第３ソケットを表す斜視説明図である。
【図９】プラグを表す斜視説明図
【図１０】プラグのハウジングを表す斜視説明図であり（ａ）はハウジング本体の斜視説明図、（ｂ）はハウジングレバーの斜視説明図
【図１１】プラグとソケットとの嵌合状態の断面説明図
【図１２】従来例を表す説明図
【符号の説明】
【００３２】
Ｌ１    第１リード線
Ｌ２    第２リード線
Ｐ１      プラグ
Ｐ２      ハウジング
Ｐ２１    ハウジング本体
Ｐ２１ａ  接続凹部挿入側面
Ｐ２１ｂ  挿入口
Ｐ２１ｃ  後端面
Ｐ２１ｄ  リード線挿入口
Ｐ２１ｅ  空間部
Ｐ２１ｆ  側面
Ｐ２１ｇ  抜け止め防止片
Ｐ２１ｈ  基端部
Ｐ２１ｉ  自由端
Ｐ２１ｊ  抜け止め係止部
Ｐ２１ｋ  側面
Ｐ２１ｍ  接続突起
Ｐ２１ｎ  係止突部
Ｐ２２    ハウジングレバー
Ｐ２２ａ  接続凹部挿入側面
Ｐ２２ｂ  挿入口
Ｐ２２ｃ  接続孔
Ｐ２２ｄ  突起
Ｐ２２ｅ  固定部
Ｐ２２ｆ  抜け止め防止片押さえ部
Ｐ２２ｇ  当接部
Ｐ２２ｈ  延設部
Ｐ３      プラグ側コンタクト
Ｐ３１    先端部
Ｐ３２    後端部
Ｓ      ソケット
Ｓ１    接続凹部
Ｓ１１  底面
Ｓ２    第１ソケットハウジング
Ｓ２１  係止部
Ｓ２２  側面
Ｓ２３  上面
Ｓ２４  背面
Ｓ２５  前面
Ｓ２６  下面
Ｓ３    ソケット側コンタクト
Ｓ４    第２ソケットハウジング
Ｓ４１  係止部
Ｓ４２  側面
Ｓ４３  上面
Ｓ４４  背面
Ｓ４５  前面
Ｓ４６  下面
Ｓ５    取付部
Ｓ５１  孔
Ｓ６    連結溝
Ｓ７    連結突部
Ｓ７１  上部突部
Ｓ７２  下部突部
Ｓ８    第３ソケット
Ｓ８１  ソケットハウジング
Ｓ８２  前面
Ｓ８３  周囲部
【図１】
2005268143.tif 000003
【図２】
2005268143.tif 000004
【図３】
2005268143.tif 000005
【図４】
2005268143.tif 000006
【図５】
2005268143.tif 000007
【図６】
2005268143.tif 000008
【図７】
2005268143.tif 000009
【図８】
2005268143.tif 000010
【図９】
2005268143.tif 000011
【図１０】
2005268143.tif 000012
【図１１】
2005268143.tif 000013
【図１２】
2005268143.tif 000014